(57)【特許請求の範囲】
【請求項１】
外扉の回転中心と、内扉の回転中心とが、自動販売機本体の幅方向に対して同じ側に設けられているとともに、外扉の回転中心よりも内扉の回転中心が、奥側でかつ幅方向中央寄りに配設されている自動販売機であって、
内扉の下辺部より下方に延びるように商品取出口の背面を取付けて固定し、商品取出口の底面を、商品取出口の背面より下側でかつ背面よりも奥側まで延設し、
商品取出口における外扉および内扉の回転中心に近い側の側面の、内扉に対向する後縁部を、外扉および内扉の閉鎖時に、内扉よりも手前側になるように寄せて形成して、外扉および内扉の開放時に、商品取出口の前記側面の後縁部と内扉との干渉を避けて内扉を略９０度まで開放可能に構成するとともに、外扉および内扉の閉鎖状態での商品取出口の前記側面の後縁部と内扉との間の隙間を覆う隙間カバーを内扉に設けた自動販売機の商品取出口装置。
【請求項２】
商品取出口の底面と背面部下辺との間の隙間の寸法を指が入らない寸法とした請求項１記載の自動販売機の商品取出口装置。
【請求項３】
隙間カバーを、商品取出口の背面の高さまで、下方に延設した請求項１または２に記載の自動販売機の商品取出口装置。
【発明の詳細な説明】
【０００１】
【発明の属する技術分野】
本発明は自動販売機の商品取出口装置に関するものである。
【０００２】
【従来の技術】
自動販売機は様々な箇所に設置される。建物の壁の横に設置される場合には、自動販売機を壁の真横面から隙間をあけて設置すると、この隙間分だけ無駄なスペースを生じることとなるため、できるだけ隙間をあけないで設置することが望ましい。このような要望に応えるためには、外扉の開き角度を約９０度にした場合でも商品の補充を支障なく行える構造が必要になる。
【０００３】
商品を商品収納部としての商品収納コラム内に上下方向に積み上げる直積み式の自動販売機では、外扉ならびに内扉を開けた状態で、商品収納コラムを手前側に引き出して商品の補充を行う構造であるため、この商品収納コラムの手前側への引出動作に支障をきたさないようにしなければならない。しかし、引出動作に支障をきたさないように、単に、端（外扉ならびに内扉の回動支点寄り側の端部）側の商品収納コラムを自動販売機本体の側壁内面から離して配置することは、自動販売機の内部に無駄なスペースを生じるため、このような構成は採用できない。
【０００４】
図４に示すように、外扉１において、前後方向に最も大きな寸法を必要とする構成物品は、一般に、商品が払い出される商品取出口２である。商品取出口２を構成する枠体３をそのまま外扉１に取付けると、外扉１ならびに内扉４を開けた際に、商品取出口２の後部箇所に内扉４が当接してしまって９０度よりも小さい角度しか開けることができず、商品収納コラム５を引き出す際に内扉４に当接して干渉し、商品収納コラム５を自動販売機本体６から引き出せなくなる。なお、図４において、７は外扉１の回動支点軸、８は内扉４の回動支点軸である。
【０００５】
このような要望を満たすものとして、図５〜図７に示すように、商品取出口２が設けられている箇所の外扉前面から内扉前面までの前後寸法Ｌ１よりも、商品取出口２の側壁３ａ（図５においては左右両側設けている場合を示しているが、外扉１ならびに内扉４の回動支点側（左側）の側壁３ａだけでもよい）の寸法Ｌ２を小さくし、外扉１ならびに内扉４を閉じた際に内扉４の前面側と、これに臨む商品取出口２の側壁３ａ部分との間の隙間を覆うように、内扉４の対応箇所に前方に延びる隙間カバー９を取付けたものがある。
【０００６】
この構成によれば、商品取出口２の側壁３ａにおける内扉４に対応する高さ位置の後縁３ｃ（図６、図７参照）が手前側に寄せられるため、図７に示すように、外扉１を開けた際に内扉４も略９０度まで開けることができ、商品収納コラム５を自動販売機本体６から支障なく引き出すことができる。
【０００７】
【発明が解決しようとする課題】
商品取出口２は、外部空間に臨んでいるとともに、商品の取出しの都度に手などが入れられるため、内部が汚れ易い。これに対処する構造として、図６に示すように、商品取出口２の背面３ｂ部分を着脱可能に構成し、係員が外扉１を開けて商品取出口２の背面３ｂを取り外すことで、商品取出口２内を清掃し易くしたものが既に提案されている。しかし、このようなものでも、掃除する際には、外扉１を開ける動作に加えて、背面３ｂを取り外す作業が必要であり、その分だけ手間や時間が取られてしまう。
【０００８】
これを解決する手法として、図８に示すように、商品取出口２の背面３ｂを内扉４の下辺部から下方に延長して固定することが考えられ、これによれば、外扉１を開けると、商品取出口２内が露出するため、掃除する際でも背面３ｂを取り外す作業が不要になり、その分だけ、作業能率が向上する。
【０００９】
しかしながら、外扉１および内扉４を閉めている状態で、内扉４の下端に取付けた商品取出口２の背面３ｂが商品取出口２の底面後端３ｄに近接するように構成すると、図９に示すように、外扉１と内扉４とを開けた時に、外扉１における商品取出口２の底面後端３ｄに、内扉４の下辺部に取付けた商品取出口２の背面３ｂが当接して、内扉４を９０度に開けることができなくなり、この結果、商品収納コラム５を正規位置まで引き出すことができなくなる。
【００１０】
これに代えて、図１０に示すように、外扉１における商品取出口２の底面の後端寄り箇所を手前側に寄せると、内扉４を９０度に開けることはできるが、外扉１および内扉４を閉めている状態で、商品取出口２の底面後端と背面下辺との間に指などを入れることができるような隙間Ａを生じてしまい、防盗機能が低下してしまう。
【００１１】
本発明は上記課題を解決するもので、無駄なスペースを生じることなく、かつ能率的に商品取出口内を掃除でき、しかも商品収納部（商品収納コラム）を正規位置まで引き出すことができながら、防盗機能が低下してしまうことを防止できる自動販売機の商品取出口構造を提供することを目的とするものである。
【００１２】
【課題を解決するための手段】
上記課題を解決するために本発明の請求項１記載の自動販売機の商品取出口装置は、外扉の回転中心と、内扉の回転中心とが、自動販売機本体の幅方向に対して同じ側に設けられているとともに、外扉の回転中心よりも内扉の回転中心が、奥側でかつ幅方向中央寄りに配設されている自動販売機であって、内扉の下辺部より下方に延びるように商品取出口の背面を取付けて固定し、商品取出口の底面を、商品取出口の背面より下側でかつ背面よりも奥側まで延設し、商品取出口における外扉および内扉の回転中心に近い側の側面の、内扉に対向する後縁部を、外扉および内扉の閉鎖時に、内扉よりも手前側になるように寄せて形成して、外扉および内扉の開放時に、商品取出口の前記側面の後縁部と内扉との干渉を避けて内扉を略９０度まで開放可能に構成するとともに、外扉および内扉の閉鎖状態での商品取出口の前記側面の後縁部と内扉との間の隙間を覆う隙間カバーを内扉に設けたことを特徴とする。
【００１３】
この構成により、商品取出口の底面を商品取出口の背面より下側に配置したので、外扉および内扉を開けた際に商品取出口の底面と背面とが当接して干渉することがなくなり、外扉を略９０度程度に開けた際でも内扉を良好な開き角度、例えば略９０度まで開けることができて、商品収納部の自動販売機本体からの引出動作ならびに商品補充動作を支障なく行うことができる。また、商品取出口の底面を商品取出口の背面より下側でかつ背面よりも奥側まで延設したので、商品取出口の底面と背面との間の隙間から指などが差し入れられることを防止できる。
【００１５】
また、この構成により、外扉および内扉を開けた際の商品取出口の前記側面の後縁部と内扉との干渉を避けることができる。また、隙間カバーにより、外扉および内扉の閉鎖状態での商品取出口の前記側面の後縁部と内扉との間の隙間が埋められるため、この隙間から指などが差し入れられることを防止できる。
【００１６】
請求項３記載の発明は、上記構成に加えて、隙間カバーを、商品取出口の背面の高さまで、下方に延設したことを特徴とする。
この構成により、商品取出口の背面より前方の両側端部箇所が隙間カバーの下方への延設部にて覆われ、隙間を生じることが防止される。
【００１７】
【発明の実施の形態】
以下、本発明の実施の形態について、図面に基づき説明する。なお、従来の自動販売機の商品取出口装置における構成要素と略同機能のものには同符号を付して、その説明は省略する。
【００１８】
図１〜図３に示すように、この自動販売機においては、内扉４の下辺部より下方に延びるように商品取出口２の背面３ｂを取付けて固定している。また、商品取出口２における外扉１や内扉４の回転中心軸７、８に近い側（図２、図３においては左側）の側面３ａの、内扉４に対向する後縁部を、外扉１および内扉４の閉鎖時に、内扉３よりも手前側になるように寄せて形成している。つまり、商品取出口２が設けられている箇所の外扉前面から内扉前面までの前後寸法Ｌ１よりも、商品取出口２の左側の側壁３ａの寸法Ｌ２が小さくなるように、側壁３ａの前後方向の寸法を短くしている。そして、外扉１ならびに内扉４を閉じた際に内扉４の前面側と、これに臨む商品取出口２の側壁３ａ部分との間の隙間（前記切欠いた分の隙間）を覆うように、前方に延びる隙間カバー９を内扉４の対応箇所に取付けている。
【００１９】
これらの構成に加えて、図１に示すように、商品取出口２の底面３ｆを商品取出口２の背面３ｂの下側でかつ背面３ｂよりも奥側までもぐりこむように延設している。そして、商品取出口２の底面３ｆと背面３ｂとの間の隙間の寸法Ｌ３（この実施の形態においては、商品取出口２の底面の一部をなす後述のクッション材３ｇの上面と背面３ｂとの間の隙間の寸法）を指が入らない寸法Ｌ３としている。なお、３ｇは、商品取出口２の底面３ｆに設けられているクッション材で、商品取出口２の底面３ｆの一部をなし、商品が商品取出口２に払い出された時の衝撃を吸収する。
【００２０】
また、図１に示すように、内扉４と商品取出口２の側壁３ａ部分との間の隙間を覆う隙間カバー９は、内扉４よりも下方まで延設されており、商品取出口２の背面３ｂの前方端部箇所も覆うようになっている。なお、図１においては、内扉４に商品取出口２の背面３ｂを接続部材１１を介して固定しているが、このような接続部材１１を設けることなく、隙間カバー９を、内扉４に商品取出口２の背面３ｂを固定する部材として兼用させてもよい。
【００２１】
上記構成によれば、商品取出口２の底面３ｆを商品取出口２の背面３ｂよりも下側に配置したので、外扉１および内扉４を開けた際に商品取出口２の底面３ｆと背面３ｂとが当接して干渉することがなくなり、図３に示すように、外扉１を略９０度開けた際でも内扉４を良好な開き角度、例えば略９０度まで開けることができて、商品収納コラム５の自動販売機本体６からの引出動作ならびに商品の補充動作を支障なく行うことができる。
【００２２】
また、商品取出口２の底面３ｆを商品取出口２の背面３ｂよりも奥側まで延設したので、商品取出口２の底面３ｆと背面３ｂとの間の隙間Ｂを少なくすることができて、この隙間Ｂから指などが差し入れられることを防止できる。さらに、利用者が斜め下方に商品取出口２内を覗いた際に、商品取出口２の底面３ｆにおける後端部が商品取出口２の背面３ｂにより覆われて隙間Ｂが目立たないため、これらにより、防盗機能を良好に維持することができる。
【００２３】
また、商品取出口２の背面３ｂを内扉４から下方に延長して固定しているので、係員などが外扉１を開けるだけで商品取出口２内が裏側から露出し、商品取出口２の掃除を作業能率よく容易に行うことができる。
【００２４】
なお、上記の実施の形態においては、商品取出口２の左側（外扉１や内扉４の回転中心寄り側）の側面３ａだけを内扉４よりも手前側になるように寄せて形成して、内扉４に隙間カバー９を取付けた場合を述べたが、商品取出口２の右側（反対側）の側面も内扉４よりも手前側になるように寄せて形成して、内扉４に隙間カバー９を取付けてもよい。しかし、上述のように片側のみ、隙間カバー９を取付ける場合の方が部品点数が少なくて済むので、製造コストを低減できる。
【００２５】
【発明の効果】
以上のように本発明によれば、内扉の下辺部より下方に延びるように商品取出口の背面を取付けて固定し、商品取出口の底面を、商品取出口の背面より下側でかつ背面よりも奥側まで延設したことにより、外扉を開けるだけで商品取出口内が露出して掃除を能率良く行うことができるとともに、外扉を略９０度程度に開けた際でも内扉を良好な開き角度、例えば略９０度まで開けることができて、商品収納部の自動販売機本体からの引出動作ならびに商品補充動作を支障なく行うことができる。また、商品取出口の底面と背面との間の隙間から指などが差し入れられることを防止できるため、防盗機能を良好に維持することができる。
【００２６】
また、隙間カバーを、商品取出口の背面の高さまで、下方に延設することで、商品取出口の背面より前方の両側端部箇所も隙間カバーの下方への延設部にて覆われるため、隙間を生じることが防止されて、これによっても防盗機能を良好に維持することができ、しかも部品点数が増加することもない。
【図面の簡単な説明】
【図１】本発明の実施の形態にかかる自動販売機の商品取出口およびその近傍の側面断面図である。
【図２】同自動販売機の商品取出口およびその近傍の概略平面断面図であり、外扉および内扉を閉じた状態を示す。
【図３】同自動販売機の商品取出口およびその近傍の概略平面断面図であり、外扉および内扉を開けた状態を示す。
【図４】従来の自動販売機の商品取出口およびその近傍の概略平面断面図であり、外扉および内扉を開けた状態を示す。
【図５】他の従来の自動販売機の商品取出口およびその近傍の概略平面断面図であり、外扉および内扉を閉じた状態を示す。
【図６】同自動販売機の商品取出口およびその近傍の側面断面図である。
【図７】同自動販売機の商品取出口およびその近傍の側面断面図であり、外扉および内扉を開けた状態を示す。
【図８】その他の従来の自動販売機の商品取出口およびその近傍の側面断面図である。
【図９】同自動販売機の商品取出口およびその近傍の側面断面図であり、外扉および内扉を開けた状態を示す。
【図１０】さらに他の従来の自動販売機の商品取出口およびその近傍の側面断面図である。
【符号の説明】
１      外扉
２      商品取出口
３ａ    側壁
３ｂ    背面
３ｆ    底面
４      内扉
５      商品収納コラム（商品収納部）
６      自動販売機本体
７、８  回転中心軸
９      隙間カバー
【図１】
0003935663.tif 000002
【図２】
0003935663.tif 000003
【図３】
0003935663.tif 000004
【図４】
0003935663.tif 000005
【図５】
0003935663.tif 000006
【図６】
0003935663.tif 000007
【図７】
0003935663.tif 000008
【図８】
0003935663.tif 000009
【図９】
0003935663.tif 000010
【図１０】
0003935663.tif 000011